(57)【要約】【課題】取付け調整の手間が要らない簡便なブレーキ異常検出装置を提供することを目的とする。【解決手段】エレベータかご駆動用の電動機に対しトルク指令を発するトルク制御手段と、その後段の電流指令手段を通じて該電動機を駆動し、該電動機を拘束するブレーキ装置によりエレベータかごの停止を維持するエレベータにおいて、該エレベータかご内の荷重を検出し該トルク制御手段に対しかご内の荷重情報を入力する荷重検出装置を設け、所定の条件下で該荷重検出装置の出力信号と前記電流指令手段の出力信号とを比較して前記ブレーキ装置の異常を検出するブレーキ異常検出手段を備えるものである。【選択図】        図１
2004345751.tif 000002
【特許請求の範囲】
【請求項１】
エレベータかご駆動用の電動機に対しトルク指令を発するトルク制御手段と、その後段の電流指令手段を通じて該電動機を駆動し、該電動機を拘束するブレーキ装置によりエレベータかごの停止を維持するエレベータにおいて、
エレベータのアンバランス荷重を検出し該トルク制御手段に対し該アンバランス荷重情報を入力する荷重検出手段を設け、所定の条件下で該荷重検出手段の出力信号と前記電流指令手段の出力信号とを比較して前記ブレーキ装置の異常を検出するブレーキ異常検出手段を備えたことを特徴とするエレベータの安全装置。
【請求項２】
前記所定の条件下とは、エレベータかごの起動時であることを特徴とする請求項１に記載のエレベータの安全装置。
【請求項３】
前記所定の条件下とは、エレベータかごの定速走行時であることを特徴とする請求項１に記載のエレベータの安全装置。
【請求項４】
前記所定の条件下とは、エレベータかごの停止直前時であることを特徴とする請求項１に記載のエレベータの安全装置。
【発明の詳細な説明】
【０００１】
【発明の属する技術分野】
本発明は、エレベータの安全装置に係り、特にエレベータのブレーキ装置における異常検出装置の改良に関するものである。
【０００２】
【従来の技術】
従来からエレベータでは、ブレーキ装置におけるプランジャーの動きを正確に検出するスイッチを設け、このプランジャーの動きをチェックすることにより、ブレーキ装置の異常を検出するようにしている。
【０００３】
しかしこの場合、プランジャーの動きを正確に検出する必要があり、検出スイッチの取付け調整に十分注意を払わなければならなかった。
【０００４】
このため、図３に示す装置が提案されている。（特許文献１参照）
【０００５】
【特許文献１】
特公平７−５２５１号公報
【０００６】
即ち、エレベータかごの一定走行におけるトルク指令２２ａの最大値ＴＭＡＸと最小値ＴＭＩＮとの差が所定値以下になったときに電動機に対するブレーキの拘束解除不良、つまりブレーキ解放不良を検出でき、ブレーキの動きを検出するスイッチやそのための配線なども不要にできるものである。この場合の装置構成は、たとえば図３に示すようなもので、速度指令装置２１の速度指令２１ａとかご速度２７ａとをつき合わせてトルク制御手段２２によりトルク指令２２ａを作り出し、電流指令手段２３を通じてインバータへの電流指令を発するエレベータシステムにおいて、このトルク指令手段２２のトルク指令２２ａをチェックして、ブレーキ異常検出手段２９によりブレーキ装置の異常を検出するものである。
【０００７】
ここで、図４はブレーキが作動したまま上昇運転を行った場合のかご速度とトルク指令との関係を示しており、定格負荷上昇運転時のトルクを１００％としたとき、通常２００〜２５０％程度の最大トルクを必要とすることから、トルク制御手段２２には通常の運転時には動作しないが、必要以上のトルクを出力しないようにトルク指令２２ａにリミッタが設けられている。そして、エレベータのブレーキトルクの方は通常２００％程度であり、もしブレーキを引きずったまま運転を行うと、電動機はかご走行のためのトルクに加え、ブレーキトルクに打ち勝つためのトルクも発生させなければならないので、かなりの高トルクとなる。このため、全負荷上昇運転時のトルク指令２２ａでは、図４（ｂ）に示すように全領域に亘ってリミッタがかかることになるので、トルク差ΔＴ＝ＴＭＡＸ−ＴＭＩＮは非常に小さい値となる。一方、平衡平行負荷上昇運転時には図４（ｃ）に示すようにトルク差ΔＴは正常値より小さい値となる。そして、無負荷上昇運転時には図４（ｄ）に示すような正常時と大差がない状態となる。
【０００８】
【発明が解決しようとする課題】
このことから、このようなトルク差の監視では、無負荷上昇運転時や定格負荷下降運転時には、たとえブレーキを引きずったまま運転していても、異常を検出できない。あくまでも他の運転モードとともに総合的に異常を検出できるもので、早期発見することができない問題があつた。
【０００９】
本発明は、上記の点に鑑みなされたもので、ブレーキに異常が起これば直ちに発見できるエレベータの安全装置を提供することを目的とする。
【００１０】
【課題を解決するための手段】
本発明は、エレベータかご駆動用の電動機に対しトルク指令を発するトルク制御手段と、その後段の電流指令手段を通じて該電動機を駆動し、該電動機を拘束するブレーキ装置によりエレベータかごの停止を維持するエレベータにおいて、エレベータのアンバランス荷重を検出し該トルク制御手段に対し該アンバランス荷重情報を入力する荷重検出手段を設け、所定の条件下で該荷重検出手段の出力信号と前記電流指令手段の出力信号とを比較して前記ブレーキ装置の異常を検出するブレーキ異常検出手段を備えるものである。
【００１１】
【発明の実施の形態】
本発明は、電流指令手段から出力される信号をチェックすることにより、早期にブレーキの異常を検出するものである。
【００１２】
【実施例】
以下、本発明の一実施例について、図面を用いて説明する。図１は本発明の一実施例を示す全体構成図、図２はかご速度と電流指令との関係を示す図である。
【００１３】
図中、図３と同一符号のものは同一のものを示すが、３０はエレベータかご内の荷重を検出する荷重検出装置で、この出力信号がトルク制御手段に入力されて、そのときの荷重情報に応じたトルク指令に基き起動補償が行われる。３１は本発明に係るブレーキ異常検出手段で、荷重検出装置３０からの出力信号３０ａ（３０ａ１，３０ａ２，３０ａ３…）と電流指令手段２３からの出力信号２３ａとを比較することにより、ブレーキの異常を検出するものである。この比較する時点は、たとえばエレベータかごの起動時、定速走行時、停止直前時などである。
【００１４】
図２に示すとおり、荷重検出装置３０が出力する出力信号３０ａは、定格荷重（定格負荷）の場合は３０ａ１、均衡荷重（平衡負荷）の場合は３０ａ２、無負荷荷重の場合は３０ａ３のように、それぞれレベルの異なる信号であり、正常時にはかごの起動時、定速走行時及び停止直前時において、このレベルに見合った電流指令２３ａ（信号３０ａよりも小さい値）しかそもそも出力されないため、この荷重検出装置３０の出力信号３０ａと電流指令手段２３の出力信号２３ａとを比較すれば、極めて迅速に異常を検出できることになる。即ち、電流指令２３ａが信号３０ａ（３０ａ１，３０ａ２，３０ａ３，…）のレベルを超えれば、ブレーキ装置が異常であると直ちに判断する。
【００１５】
なお、ここではかご内の荷重を検出する荷重検出装置を採用している例を述べているが、エレベータかご内の積載荷重だけでなく、かご位置に基づく主ロープを含めたアンバランスなどを考慮して、かご位置を検出することにより、全体的なアンバランス補償分を含めたトルク指令に基づいて、ブレーキの異常を判断するようにしてもかまわない。
【００１６】
このエレベータかごの起動時と定速走行時と停止直前時には、エレベータのアンバランス荷重に相当する電流（トルク）指令が電流指令手段２３から発せられるので、万一異なるレベルの指令が出力されていると、ブレーキ異常検出手段３１により直ちに検出されることになる。検出されると、その後のエレベータの運転が休止されるのは言うまでもない。
【００１７】
【発明の効果】
以上説明したように本発明によれば、各種の条件下でエレベータかごの運転が行われる場合に応じて、適宜ブレーキ装置のチェックを行うため、極めて迅速に異常検出ができる効果を発揮するものである。
【図面の簡単な説明】
【図１】本発明の一実施例を示す全体構成図である。
【図２】本発明装置に係るかご速度と電流指令との関係を示す図である。
【図３】従来の異常検出装置を示す全体構成図である。
【図４】図３のブレーキ異常検出装置の動作状態を説明する説明図である。
【符号の説明】
２２  トルク制御手段
２３  電流指令手段
２３ａ  電流指令手段２３の出力信号
３０  荷重検出装置
３０ａ  荷重検出装置３０の出力信号
３１  ブレーキ異常検出手段
【図１】
2004345751.tif 000003
【図２】
2004345751.tif 000004
【図３】
2004345751.tif 000005
【図４】
2004345751.tif 000006